(57)【要約】【課題】本発明は、所定のピッチで縦溝が刻まれた外装パネルを用い、出隅部において留め納まりとした場合に、縦溝の間隔に統一性があり建物外観の意匠性を損ねることがない外周壁構造を提供する。【解決手段】外周壁構築の基準となる基準線の間の寸法は平面モジュールＭの正数倍であり、外周壁には基準線からの出寸法が一定の値Ｄとなるように外装パネルＰが貼設されている。基準外装パネル１には、Ｍをｎ（ｎ＝１以上の整数）等分するピッチで縦溝２が刻まれていると共に、ＭのＮ（Ｎ＝３以上の整数）倍の幅を有し、その両端には半縦溝２ａが設けられている。平部用外装パネルＰ１の両端は半縦溝２ａを有し、出隅用外装パネルＰ２，Ｐ３の一端は半縦溝２ａを有すると共に平部用外装パネルＰ１の端部に突き付けられ、出隅用外装パネルＰ２，Ｐ３の他端は平断面で４５度の小口８を有して留めの納まりとされている。【選択図】図２
2011256555.tif 000002
【特許請求の範囲】
【請求項１】
外周壁を構築する際の基準となる基準線の間の寸法が、所定の平面モジュールの正数倍の値に基づいて設定され、前記外周壁には、前記基準線からの出寸法が一定の値Ｄとなるように外装パネルがそれぞれ貼設された外周壁構造であって、
前記外周壁の構築に利用される基準外装パネルには、前記平面モジュールＭをｎ（ｎ＝１以上の整数）等分するピッチＰで縦溝が刻まれていると共に、前記平面モジュールＭのＮ（Ｎ＝３以上の整数）倍の幅Ｌを有し、前記基準外装パネルの両端には、前記縦溝の幅の半分の幅寸法をもった半縦溝が設けられており、
前記建物の平部に配置される平部用外装パネルの両端は、前記縦溝の幅の半分の幅寸法をもった半縦溝を有し、
前記建物の前記出隅部に配置される出隅用外装パネルの一端は、前記基準外装パネルの前記縦溝の幅の半分の幅寸法をもった半縦溝を有すると共に、前記平部用外装パネルの端部に突き付けられ、前記出隅用外装パネルの他端は、平断面で４５度の小口を有して留めの納まりとされたことを特徴とする外周壁構造。
【請求項２】
前記出隅用外装パネルの表面側の幅寸法Ｌ１がＭ＋Ｄとされ、寸法Ｄは、前記出隅用外装パネルが前記基準外装パネルから（Ｎ−１）枚切り出されるように設定されていることを特徴とする請求項１に記載した外周壁構造。
【請求項３】
前記留め納まり部における前記出隅用外装パネル同士の離隔寸法は、想定される地震力による建物の層間変形角の最大値に基づいて設定されていることを特徴とする請求項１又は２に記載した外周壁構造。
【発明の詳細な説明】
【技術分野】
【０００１】
本発明は、建物に対する外装パネルの割り付けに係り、外装パネルが貼設された建物の外周壁構造に関するものである。
【背景技術】
【０００２】
従来より、仕上材として外装パネルを貼り付けて構成される建物の外周壁の出隅部において、特許文献１に開示されているように、外周壁構造の出隅部を構成する２枚の外装パネルの小口を４５度の角度に加工し、その小口どうしを突き付けて納めること（いわゆる「留め納まり」とすること）が行われてきた。
【先行技術文献】
【特許文献】
【０００３】
【特許文献１】特開平１−３９４５５号公報
【発明の概要】
【発明が解決しようとする課題】
【０００４】
しかしながら、外装パネルとして所定のピッチで縦溝が刻まれたものを用いて留めの納まりとした場合、出隅部から最初の縦溝までの寸法が、向かって右側の外装パネルと向かって左側の外装パネルの縦溝とで食い違い生じることで縦溝の配列が左右対称の関係にならず、外観の意匠性を損ねてしまうことがある、という問題点があった。
【０００５】
本発明は、所定のピッチで縦溝が刻まれた外装パネルを用い、出隅部において留め納まりとした場合に、縦溝の間隔に統一性があり建物外観の意匠性を損ねることがない外周壁構造を提供することを目的とする。
【課題を解決するための手段】
【０００６】
本発明は、外周壁を構築する際の基準となる基準線の間の寸法が、所定の平面モジュールの正数倍の値に基づいて設定され、外周壁には、基準線からの出寸法が一定の値Ｄとなるように外装パネルがそれぞれ貼設された外周壁構造であって、
外周壁の構築に利用される基準外装パネルには、平面モジュールＭをｎ（ｎ＝１以上の整数）等分するピッチＰで縦溝が刻まれていると共に、平面モジュールＭのＮ（Ｎ＝３以上の整数）倍の幅Ｌを有し、基準外装パネルの両端には、縦溝の幅の半分の幅寸法をもった半縦溝が設けられており、
建物の平部に配置される平部用外装パネルの両端は、縦溝の幅の半分の幅寸法をもった半縦溝を有し、
建物の出隅部に配置される出隅用外装パネルの一端は、基準外装パネルの縦溝の幅の半分の幅寸法をもった半縦溝を有すると共に平部用外装パネルの端部に突き付けられ、出隅用外装パネルの他端は、平断面で４５度の角度の小口を有して留め納まりとされたことを特徴とする。
【０００７】
この外周壁構造においては、出隅部において、出隅部から最初の縦溝での寸法が、向かって右側の外装パネルと向かって左側の外装パネルとで一致し、縦溝の配列を左右対称の関係とすることができ、建物外観の意匠性を損ねることがない。
【０００８】
また、出隅用外装パネルの表面側の幅寸法Ｌ１がＭ＋Ｄとされ、寸法Ｄは、出隅用外装パネルが基準外装パネルから（Ｎ−１）枚切り出されるように設定されていると好適である。
このような構成を採用すると、基準外装パネルから出隅用外装パネルを効率良く切り出すことができる。
【０００９】
また、留め納まり部における出隅用外装パネル同士の離隔寸法は、想定される地震力による建物の層間変形角の最大値に基づいて設定されていると好適である。
このような構成を採用すると、地震の際に、留め納まり部で隣接している出隅用外装パネル同士の接触によるヒビや欠けなどの破損を防止することができる。
【発明の効果】
【００１０】
本発明によれば、建物の出隅部において、向かって右側の外装パネルと向かって左側の外装パネルとで縦溝の間隔の調和をはかることができ、建物外観の意匠性を損ねることがない。
【図面の簡単な説明】
【００１１】
【図１】本発明に係る外周壁構造の一実施形態を示す建物の正面図である。
【図２】建物の出隅部における平断面図である。
【図３】基準外装パネルを示す斜視図である。
【図４】出隅部外装パネルの切り出し要領を示す斜視図である。
【発明を実施するための形態】
【００１２】
以下、図面を参照しつつ本発明に係る外周壁構造の好適な実施形態について詳細に説明する。
【００１３】
図１に示すように、建物Ｈは、平面視矩形状であり、４５５ｍｍの平面モジュールＭを基準単位として設計されている。また、建物Ｈの外周壁には仕上材としてＡＬＣ（軽量気泡コンクリート）からなる外装パネルＰが取り付けられている。外装パネルＰとしては、図３に示される基準外装パネル１がそのままの形状で加工されることなく、或いは建築現場にて適宜加工されて使用される。
【００１４】
基準外装パネル１は、工場生産された規格品であり、その幅Ｌは平面モジュールＭの整数（Ｎ、本実施例ではＮ＝４）倍となっている。基準外装パネル１には、平面モジュールＭを３等分(ｎ＝３)したピッチＰ(１５１．６７ｍｍ)で１１本の縦溝２が予め工場で刻まれている。この縦溝２は、断面矩形又は台形状に形成され、基準外装パネル１の両端には、縦溝２の幅の半分の幅寸法をもった半縦溝２ａが設けられている。そして、外装パネルＰ同士を幅方向に連接させると、半縦溝２ａ同士が接合されて合成縦溝３が形成され、この合成縦溝３は、底部に形成されたシールポケット３ｃに充填材６が注入された状態で、外観的に、縦溝２と同一となる(図２参照)。
【００１５】
図１に示すように、外周壁を構築する際の基準となる基準線Ｙ０，Ｙ１間の寸法（梁間寸法）Ｒは、平面モジュールＭの正数倍の値を有し、この建物Ｈの場合、寸法Ｒは、４５５ｍｍの２４倍の１０９２０ｍｍである。同様に基準線Ｙ０，Ｙ１に直交する基準線Ｘ０，Ｘ１（Ｘ１は不図示）間の寸法（桁行寸法）も平面モジュールＭの正数倍の値を有している。
【００１６】
図２に示すように、建物Ｈの外周壁は、基準線Ｙ０（Ｙ１）に直交して水平に延在する基準線Ｘ０（Ｘ１）に基づいて構築された壁体１０と、壁体１０に所定の間隔で取り付けられた胴縁２０と、胴縁２０を下地としてビス固定により貼設された外装パネルＰと、によって構成されている。壁体１０は、その中心位置が基準線Ｙ０，Ｙ１，Ｘ０，Ｘ１に一致するように設定されており、平部用出隅パネルＰ１及び出隅用外装パネルＰ２，Ｐ３は、基準線Ｙ０，Ｙ１，Ｘ０，Ｘ１からの出寸法が一定の値Ｄ(例えば１３１ｍｍ)となるようにそれぞれ貼設されている。
【００１７】
布基礎の上面に立設される壁体１０は、壁式構造の建物において荷重の支持や地震力等の外力に対抗する要素として有効な構造壁として機能するものである。壁体１０の構成は、布基礎の上に配置される枠体１１と、２枚の石膏ボード１２ａ，１２ｂからなり枠体１１の建物内部側に固定される内装材１２と、枠体１１の建物外部側でビスに固定される構造用面材１３と、この構造用面材１３に貼設される板状断熱材１４と、この断熱材１４に貼設される透湿防水シート(不図示)とからなる。
【００１８】
建物Ｈの平部（出隅部以外の中間部）に配置される平部用外装パネルＰ１（後述する出隅部用パネルに挟まれるように配置される外装パネル）の両端は、縦溝２の幅の半分の幅寸法をもった半縦溝２ａを有する。建物Ｈの平部に割り付けられる平部用外装パネルＰ１については、基準外装パネル１が基本的には切断されることなく使用され、端数が生ずる場合に限って縦溝２の位置で半縦溝２ａになるように切断されて使用される。
【００１９】
建物Ｈの出隅部に配置される出隅用外装パネルＰ２，Ｐ３の一端は、基準外装パネルの縦溝の幅の半分の幅寸法をもった半縦溝２ａを有すると共に、平部用外装パネルＰ１の端部に突き合わされる。出隅用外装パネルＰ２，Ｐ３の他端は、平断面で４５度の角度となる小口８を有する。この出隅用外装パネルＰ２は、基準線Ｙ０と出隅用外装パネルＰ２の縦溝２の中心とが一致するように貼設されている。また、建物Ｈの出隅部に配置される他の出隅用外装パネルＰ３も、基準線Ｘ０と出隅用外装パネルＰ３の縦溝２の中心とが一致するように貼設されている。
【００２０】
出隅用外装パネルＰ２，Ｐ３は、基準外装パネル１を現場にて切り出したものであり、出隅用外装パネルＰ２，Ｐ３の表面側の幅寸法Ｌ１がＭ＋Ｄとされ、寸法Ｄは、出隅用外装パネルＰ２，Ｐ３が基準外装パネル１から（Ｎ−１）枚切り出されるように設定されている。すなわち、Ｄ＝Ｍ／(Ｎ−１)以下である。なおここでＬ１は、対向する小口８間に形成された湿式（不定形）シール材１５を充填する為の隙間や、尖端の面取りを考慮しない寸法である。
【００２１】
具体的には、ｎ＝３の基準外装パネル１では、寸法Ｄの最大値は１５１．６７ｍｍとなるが、切断の際のロス（切断に使用する工具の厚みや切断面の仕上げ作業による欠損等）を考慮して寸法Dを１３０乃至１４０ｍｍ程度に設定している。また、ｎ＝４すなわち縦溝２のピッチＰが２２７．５ｍｍの場合は、寸法Ｄの最大値は１１３．７５ｍｍと求められ、実際の寸法Ｄとしては９０乃至１００程度に設定することができる。
【００２２】
図３に示した基準外装パネル１からの出隅用外装パネルの切り出し手順について図４を用いて具体的に説明すると、まず、基準外装パネル１をその両端からＭ＋Ｄの位置Ｃ１，Ｃ２で切断して２枚の出隅用外装パネルを得る。次に、残った基準外装パネル１をその一端から最初の縦溝２ａの中心位置Ｃ３で切断して半縦溝を形成し、更にＣ３からＭ＋Ｄの位置（Ｃ４）で切断することによって３枚目の出隅用外装パネルを得る。そして、ハッチで示した部分のみが廃棄あるいは他の用途にリサイクルされる。
【００２３】
このようにすることで、基準外装パネル１から出隅用外装パネルＰ２，Ｐ３を無駄なく切り出すことができ、各出隅部に使用される部材やその納まりの共通化も達成することができる。
【００２４】
また、この外周壁構造においては、建物Ｈの全ての出隅部において、出隅部から最初の縦溝での寸法が、向かって右側の出隅用外装パネルＰ２と、向かって左側の出隅用外装パネルＰ３とで一致し、縦溝２の配列を左右対称の関係とすることができ、建物外観の意匠性を維持することができる。
【００２５】
また、留め納まり部Ｓにおいて、対向する一対の出隅用外装パネルＰ２，Ｐ３の切断面（小口８）に形成された隙間の離間寸法（Ａ）は、想定される地震力が作用した際の層間変形角の最大値に基づく離隔寸法（Ａ）を有しており、このように構成することにより、地震の際に、留め納まり部Ｓで隣接している出隅用外装パネルＰ２，Ｐ３同士の接触によるヒビや欠けなどの破損を防止することができる。
【００２６】
本発明は、前述した実施形態に限定されないことは言うまでもない。例えば、上記実施形態では、基準外装パネル１の横貼りを例示したが、基準外装パネル１を縦貼りする場合にも本発明は適用可能である。また、縦溝２は上記実施形態のような連続的なのものに限定はされず、馬目地（破れ目地）を模した不連続なものであってもよい。
【符号の説明】
【００２７】
１…基準外装パネル  ２…縦溝  ２ａ…半縦溝  Ｐ…外装パネル  Ｐ１…平部用外装パネル  Ｐ２，Ｐ３…出隅用外装パネル  Ｘ０，Ｘ１，Ｙ０，Ｙ１…基準線  Ｈ…建物
【図１】
2011256555.tif 000003
【図２】
2011256555.tif 000004
【図３】
2011256555.tif 000005
【図４】
2011256555.tif 000006